(57)【要約】【課題】  既存の医療機器に追加するだけでその装置の状態を記録・保存することができる医療機器監視システムを提供すること。【解決手段】  医療機器の動作状態を監視するための医療機器監視システム１０であって、その状態を目視することにより当該医療機器の動作状態を把握可能なユーザインタフェースを有する医療機器１１と、ユーザインタフェースの経時的な状態を撮影するＣＣＤカメラ１７と、撮影されたユーザインタフェースの経時的な状態変化を輝度変化によって検出する検出装置１９と、ユーザインタフェースの経時的な状態変化を、時間情報と関連付けて記録する記録手段と、を具備する。【選択図】      図１
2005208715.tif 000002
【特許請求の範囲】
【請求項１】
医療機器の動作状態を監視するための医療機器監視システムであって、
その状態を目視することにより当該医療機器の動作状態を把握可能なユーザインタフェースを有する医療機器と、
前記ユーザインタフェースの経時的な状態変化を監視する監視手段と、
前記監視手段によって監視された前記ユーザインタフェースの経時的な変化を記録する記録手段と、
を具備することを特徴とする医療機器監視システム。
【請求項２】
前記監視手段は、前記ユーザインタフェースに少なくとも一つの監視領域を設定し、当該少なくとも一つの監視領域内の経時的な輝度変化又は色彩変化を非接触に検出することで、前記状態変化を監視することを特徴とする請求項１記載の医療機器監視システム。
【請求項３】
前記ユーザインタフェースは、自発光手段が設けられた操作手段、又は表示手段を有し、
前記監視手段は、前記操作手段又は前記表示手段の少なくとも一部を含むように前記少なくとも一つの監視領域を設定し、当該監視領域内の経時的な輝度変化又は色彩変化を非接触に検出する可視光カメラであること、
を特徴とする請求項２記載の医療機器監視システム。
【請求項４】
前記ユーザインタフェースは、光学的補助手段が設けられた操作手段、又は表示手段を有し、
前記監視手段は、前記操作手段又は前記表示手段に赤外線を照射する赤外線源と、前記操作手段又は前記表示手段において反射された赤外線を撮影するカメラであって、前記操作手段又は前記表示手段の少なくとも一部を含むように前記少なくとも一つの監視領域を設定し、当該監視領域内の経時的な輝度変化又は色彩変化を非接触に検出する赤外線カメラと、を有すること、
を特徴とする請求項２記載の医療機器監視システム。
【請求項５】
前記ユーザインタフェースは、自発光手段が設けられた操作手段と、光学的補助手段が設けられた操作手段と、表示手段と、を有し、
前記監視手段は、前記監視手段は、前記操作手段又は前記表示手段の少なくとも一部を含むように前記少なくとも一つの監視領域を設定し、当該監視領域内の経時的な輝度変化又は色彩変化を非接触に検出する可視光カメラと、
前記操作手段又は前記表示手段に赤外線を照射する赤外線源と、
前記操作手段又は前記表示手段において反射された赤外線を撮影するカメラであって、前記操作手段又は前記表示手段の少なくとも一部を含むように前記少なくとも一つの監視領域を設定し、当該監視領域内の経時的な輝度変化又は色彩変化を非接触に検出する赤外線カメラと、を有すること、
を特徴とする請求項２記載の医療機器監視システム。
【請求項６】
前記監視手段と前記インタフェース手段との間に設けられ、赤外線及び可視光のうち一方を反射し他方を透過させる光学的手段をさらに具備し、
前記可視光カメラは、前記光学的手段によって透過又は反射された可視光に基づく画像を撮影し、
前記赤外線カメラは、前記インタフェースにおいて反射され前記光学的手段によって透過又は反射された赤外線に基づく画像を撮影すること、
を特徴とする請求項５記載の医療機器監視システム。
【請求項７】
前記監視手段と前記インタフェース手段との間に設けられ、前記監視手段が監視する視野を拡大するためのレンズをさらに具備することを特徴とする請求項１乃至６のうちいずれか一項記載の医療機器監視システム。
【請求項８】
前記監視手段は、前記ユーザインタフェースに表示される幾何学的情報、色彩的情報、文字的情報、その他の表示情報を認識し、当該表示情報の経時的な状態変化を監視し、
前記記憶手段は、前記監視手段によって監視された前記表示情報の経時的な状態変化を記録すること、
を特徴とする請求項１乃至７のうちいずれか一項記載の医療機器監視システム。
【発明の詳細な説明】
【技術分野】
【０００１】
本発明は、医療安全技術に関するものであり、特に改造ができない医療機器に単純に付加するだけで、その医療機器の動作状態を監視・記録できるようにするための非接触型監視システムに関する。
【背景技術】
【０００２】
近年、医療事故を防止し、医療の安全確保するための技術が強く求められている。医療事故の原因の一つに、例えば医療現場における人為的ミス（ヒューマンエラー）がある。このヒューマンエラーは、医療関係者の動きをビデオカメラでモニターして追跡・記録し、後日それを解析することで、その後の医療行為を改善させることができると考えられる。例えば、仮に手術室に置かれる医療機器を簡単に改造できるならば、装置の状態をモニターする機能と通信機能を組み込むことで、LAN経由の通信によって簡単に記録・保存ができる。
【０００３】
しかしながら、通常、既に手術室に入っている医療機器の場合、改造に対して法規制があり、簡単に改造することは困難ある。すなわち、従来の医療機器では改造を行うと、日本国内では薬事申請が新たに必要となる。このとき、ハードウェア/ソフトウェア改造の内容次第によっては、治験を全てやり直す必要があり、そのため最短でも認可を得るまでの期間が4〜6ヶ月となる場合もある。
【０００４】
この様な理由から、医療機器の動作状態を遠隔から監視して記録するための改造、例えば装置の状態モニター機能、通信機能などの追加等は、現状では敬遠される可能性が高い。従って、現実の医療現場においては、法規制の抵触するような改造をしないで装置の状態を記録・保存できるシステムを導入することが望ましい。
【発明の開示】
【発明が解決しようとする課題】
【０００５】
本発明は、上記事情を鑑みてなされたもので、既存の医療機器に追加するだけでその装置の状態を記録・保存することができる医療機器監視システムを提供することを目的としている。
【課題を解決するための手段】
【０００６】
本発明は、上記目的を達成するため、次のような手段を講じている。
【０００７】
本発明の視点は、医療機器の動作状態を監視するための医療機器監視システムであって、その状態を目視することにより当該医療機器の動作状態を把握可能なユーザインタフェースを有する医療機器と、前記ユーザインタフェースの経時的な状態変化を監視する監視手段と、前記監視手段によって監視された前記ユーザインタフェースの経時的な変化を記録する記録手段と、を具備することを特徴とする医療機器監視システムである。
【発明の効果】
【０００８】
以上本発明によれば、既存の医療機器に追加するだけでその装置の状態を記録・保存することができる医療機器監視システムを実現できる。
【発明を実施するための最良の形態】
【０００９】
以下、本発明の第１実施形態〜第３実施形態を図面に従って説明する。以下の説明において、略同一の機能及び構成を有する構成要素については、同一符号を付し、重複説明は必要な場合にのみ行う。
【００１０】
また、各実施形態においては、説明を具体的にするために、手術室で使用される代表的な医療機器（例えば「電気メス」、「麻酔器」、「ベッドサイドモニタ」、「除細動器」、「麻酔器」、「輸液ポンプ」、「ガーゼ出血量測定装置」、「エアードリルシステム」、「高低体温維持装置」、「人工心肺装置」、「スパーバルーンポンプ」、「心臓ポリグラフシステム」、「気腹装置」等）の動作状態を監視するシステムを例に挙げる。しかしながら、本医療機器監視システムは、手術室で使用される医療機器のみに限定されず、例えば病室にて使用される医療機器（例えば、人工呼吸器、血圧計等）、その他の、少なくとも術者もしくは医療関係者が、ダイヤルの位置変化/スイッチの位置変化/スイッチに連動したランプの点灯/モニター画面上の表示などを通じて目視確認できる医療機器について監視可能である。
【００１１】
なお、従来これらの小型医療機器には、その機器自体が動作状態をモニターしてその情報を外部と通信するといった機能は搭載されていない。高額な医用機器であるCT装置やMRI装置などの場合、リモートメンテナンスや画像の管理を簡単にするため病院内のLANにつながれていることが多く、これに関しては例外である。本システムは、原則としてCT装置等の様に通信機能を有している医療機器以外のものを対象としている。
【００１２】
（第１実施形態）
本実施形態では、自発光型のスイッチ、表示部等を有する医療機器を監視する医療機器監視システムについて説明する。
【００１３】
図１は、本実施形態に係る医療機器監視システム１０の概略図を示している。まず、医療機器監視システム１０の構成を、図１を参照しながら説明する。
【００１４】
本医療機器監視システム１０は、電気メス１１、可視光用ＣＣＤカメラ１７、輝度変化検出装置１９、記録装置２１を具備している。
【００１５】
電気メス１１は、電気メス本体１２、電気メスハンドピース１３、ペダルスイッチ１５からなり、生体を負荷として高周波電流を流し、この負荷又は接触抵抗に発生する熱を利用して、軟組織等の切開、体液凝固を行う電気手術機器である。
【００１６】
電気メス本体１２は、電気メスハンドピース１３に印加するための高周波電圧を制御する制御系（図示せず）、図２に示すような操作のための操作部１０２（シーソースイッチ１０２ａ、ダイヤル１０２ｂ、スライドスイッチ１０２ｃ、フィルムスイッチ１０２ｄ等）、及びＬＥＤ等が装備された表示部１０１（ＬＥＤ表示器１０１ａ、モニタ１０１ｂ等）等を備えたインタフェースを有している。
【００１７】
電気メスハンドピース１３は、生体に対して広い接触面積で接触される対極板と、メスとして使用されるメス先電極と、被検体への高周波電流印加を制御するためのスイッチ等を有している。
【００１８】
ペダルスイッチ１５は、電気メスを操作する術者が、手を使わずに指示を入力するためのスイッチである。
【００１９】
可視光用ＣＣＤカメラ１７は、ターゲット（表示部１０１上の自発光するＬＥＤ、自発光するモニターによる機器の動作状況を表す文字、図形、グラフ等）の点滅状況、表示形態を検出するための画像を撮影する。
【００２０】
輝度変化検出装置１９は、可視光用ＣＣＤカメラ１７によって検出されるターゲットの点滅状況、表示形態に基づいて、当該ターゲットの経時的な輝度変化及び色彩変化を検出する。また、輝度変化検出装置１９は、インタフェースによる機器の動作状況を表す文字やグラフ等の文字認識を実行し、監視する医療機器（今の場合、電気メス）の経時的な表示状態の変化を認識する。なお、輝度変化検出装置１９は、通信装置を有している。この通信装置により、取得した経時的な輝度変化、色彩変化、表示状態変化は、通信ネットワークを介して記録装置２１に逐次送信される。また、この輝度変化検出装置１９によって実行される輝度変化等の検出については、後で詳しく説明する。
【００２１】
記録装置２１は、輝度変化検出装置１９とＬＡＮ等の通信ネットワークで接続されており、当該輝度変化検出装置１９によって検出された電気メス１１の表示部１０１、操作部１０２等の画像、モニタリング情報の変化等を、時間情報と関連付けて記憶する。従って、当該記録装置２１に記憶された情報を調べることによって、事後的に医療機器の各時刻における動作状況を把握することができる。
【００２２】
なお、この可視光用ＣＣＤカメラ１７、輝度変化検出装置１９、記録装置２１からなるシステムは、例えば横河電機株式会社製造のWeb Image Detector（登録商標）などの機器や、CCDカメラと自動文字認識ソフトウェア（例えば、日本ヒューレットパッカード社製：Documa Jananese（登録商標）等）がインストールされたコンピュータ等によって実現することができる。特に、Web Image Detectorでは、CCDカメラで捉えた320×240画面の任意の位置にターゲットを最大16個まで設定でき、このターゲットに輝度や色の変化があった場合にその情報をLAN経由で遠隔地に通報することが可能である。
【００２３】
（輝度変化等の検出）
次に、輝度変化検出装置１９が実行する輝度変化、色彩変化、表示状態変化の検出について説明する。この処理は、電気メス１１の表示部１０１、操作部１０２の光学的な輝度変化等を検出するものである。
【００２４】
図３乃至図１２は、自発光手段を有する操作部の部位（以下、「自発光型操作部位」）のそれぞれを例示した図である。以下、各自発光型操作部位別に輝度変化等の検出処理を説明する。
【００２５】
図３に示すようなＯＮ／ＯＦＦ型スイッチ（シーソースイッチ）１０２ａは、ＯＮ時（又はＯＦＦ時）にスイッチトップがＬＥＤ等により自発光する。この様なスイッチを、可視光用ＣＣＤカメラ１７により当該スイッチの経時的な発光状態を撮影すると同時に、その撮影記録を輝度変化検出装置１９によってリアルタイムで検出する。このとき、例えば光が点状状態から消滅状態になった等その発光状態の変化（輝度変化）が所定の時刻において検出されれば、当該医療機器の動作状態が当該時刻にて変化したことになる。従って、当該スイッチの状態変化を所定の時刻における輝度変化として検出することで、当該医療機器の動作状態を監視することができる。
【００２６】
また、図４に示すような自発光型フィルムスイッチ１０２ｄの場合にも、ＯＮ／ＯＦＦ型スイッチ１０２ａと同様の手法にて輝度変化を検出することができ、これにより経時的に医療機器の動作状態を監視することができる。
【００２７】
スイッチの中には、ＯＮ／ＯＦＦ指示を入力するためのものだけでなく、定量的な値を指示入力するためのものがある。この様なスイッチの代表的なものとして、ダイヤルスイッチ１０２ｂ、スライドスイッチ１０２ｃがある。以下、この二つのスイッチの状態監視方法について説明する。
【００２８】
図５に示すようなダイヤルスイッチ１０２ｂについては、例えば図６に示すようにダイヤルのメモリに沿って複数のターゲット３２を配置し、ダイヤルの矢印３１がどのターゲット内に存在するか（回転角度は何度か）を輝度測定により検出することで、医療機器の動作を監視することができる。
【００２９】
また、図７に示すようなスライドスイッチ１０２ｃについても、例えば図８に示すようにメモリに沿って複数のターゲット３２を配置し、スライドスイッチ１０２ｃのキートップ３３がどのターゲット内に存在するか（所定の基準位置からの移動量はどれだけか）を検出することで、医療機器の動作を監視することができる。
【００３０】
その他、色彩変化についても、同様の手法により検出することができる。また、ＬＥＤ表示器１０１ａ、モニター１０１ｂ等については、文字認識ソフトによってその表示情報を検出し、当該検出された表示情報が所定の時刻において変化した場合には、変化前と変化後との表示情報が時間情報と共に記録される。
【００３１】
なお、以上述べた輝度変化等の測定は、各操作部位が自発光手段を有していない場合についても有効である。
【００３２】
（本医療機器監視システムによって得られた情報の利用方法）
本システムによって得られた情報は、例えば次の二つの方法によって利用することができる。
【００３３】
第１に、手術室内外で行われる医療行為に対して事故が発生した場合、記録装置２１に記録された情報を事後的に再生し解析することで、その原因が使用していた医療機器側にあるのか又は術者および医療関係者にあるのかを解明することができる。
【００３４】
すなわち、記録装置２１には、電気メス１１の操作部や表示部１０１の経時的な状態変化が、可視光用ＣＣＤカメラ１７が監視したターゲットの経時的な輝度変化として記憶されている。従って、このターゲットの経時的な輝度変化を例えば事後的に解析することで、医療機器が適切に機能していたか否かを解明することができる。その結果、医療行為における過失等の原因が医療機器側にあるのか又は術者および医療関係者にあるのかを解明することができる。また、この利用法によれば、医療事故後にその裁判を公正に行うための証拠としての利用も考えられる。
【００３５】
第２に、医療事故発生を未然に防ぐための、日常治療中に発生した医療行為のケアレスミス事例の蓄積及び分析に利用することができる。すなわち、小さなミスの積み重ねが大きなミスを引き起こすことから、このターゲットの経時的な輝度変化を例えば事後的に解析することで、具体的な医療ミスを把握し、その原因をなくすために役立てることができる。
【００３６】
以上述べた構成によれば、次の効果を得ることができる。
【００３７】
まず、本医療機器監視システムでは、既存の医療機器に可視光用ＣＣＤカメラ、輝度変化検出装置、記録装置等を追加するのみ（各装置の単純付加のみ）で、医療機器の状態を記録・保存することができる医療機器監視システムを実現できる。従って、医療機器に改良を加える必要もなく、比較的簡易に低コストにて医療機器監視システムを提供することができる。
【００３８】
また、本医療機器監視システムは、非接触にて医療機器の状態を記録・保存することができる。従って、接触による記録・保存ミス等が発生することはなく、医師等の診療行為の邪魔になることもない。その結果、快適な医療環境を提供しつつ、安定した医療機器監視を実現することができる。
【００３９】
また、本医療機器監視システムは、監視ターゲットを設定し、当該ターゲット内の輝度変化等のみを監視の対象としている。従って、手術室等の設定環境の照明による影響を受けず、安定した医療機器監視を実現することができる。
【００４０】
さらに、本医療機器監視システムは、原則として、当該ターゲット内の輝度変化等のみを記録する。従って、記録対象を、医療行為の事後的な解析に必要最小限の情報とすることができ、メモリ容量を最大限有効に使うことができる。
【００４１】
（第２の実施形態）
第２の実施形態では、スイッチ等の操作部位が自発光型ではない医療機器を対象とする医療機器監視システムについて説明する。
【００４２】
図９は、第２の実施形態に係る医療機器監視システム１０の構成を示した図である。同図に示すように、医療機器監視システム１０は、電気メス本体１２、電気メスハンドピース１３、取り付けアーム１６、赤外線撮影装置１８、画像変化検出装置２０、記録装置２１を具備している。
【００４３】
赤外線撮影装置１８は、赤外線ＬＥＤ等の赤外線光源１８１と赤外線ＣＣＤカメラ１８０とが一体になったものであり、主に赤外線光源１８１からの赤外線の反射光を赤外線ＣＣＤカメラ１８０によって撮影する。なお、この様に赤外線ＬＥＤ等の赤外線光源１８１と赤外線ＣＣＤカメラ１８０とを一体化するのは、反射光を利用する光学的補助手段（後述）をカメラにより認識する場合には外部照明の影響を受けやすく、この影響をできるだけ少なくするためである。
【００４４】
画像変化検出装置２０は、赤外線撮影装置１８によって撮影された赤外線画像の経時的変化に関する情報を自動検出する。検出された赤外線画像の経時的変化に関する情報は、記録装置２１に記録される。
【００４５】
（画像変化等の検出）
次に、画像変化検出装置２０が実行する画像変化等の検出について説明する。
【００４６】
例えば操作部１０２に設けられるスイッチ等には、図３、図４に示した自発光型ではなく、非自発光型のもの（自発光手段を有しないもの）が設置される場合がある。係る場合、当該スイッチの状態変化を輝度変化として検出できる様にするため、医療機器自体には改良を加えない範囲において、何らかの工夫が必要である。
【００４７】
本実施形態では、自発光手段を有しない医療機器の動作を監視するため、スイッチ等の各操作部位に光学的補助手段を設ける。図１０は、自発光手段を有しない各スイッチに設けられる光学的補助手段の一例である再帰性反射部材３０を示した図である。同図に示すように、再帰性反射部材３０は、アルミなどの基材３００の上にミクロン・オーダーの直径を持つガラス球３０１を多数配置することで、光が入射した方向に光を反射するものである。これを自発光しないタイプのスイッチに設け、その状態を監視することで、当該スイッチの状態変化を輝度変化として検出できる。
【００４８】
図１１（ａ）は、再帰性反射部材３０が添付された、自発光しないタイプのＯＮ／ＯＦＦ型スイッチ１０２ａを示した図である。係る構成の場合、図１１（ｂ）、（ｃ）に示すように、ＯＮ時、ＯＦＦ時のそれぞれにおいて、赤外線撮影装置１８によって監視されるターゲット内の再帰性反射テープを見込む面積が変化すること等を利用して、簡単に変化を自動認識できるようにすることができる。
【００４９】
また、図１２に示すようなダイヤルスイッチ１０２ｂの場合には、ダイヤルのメモリ毎に面積の異なる光学的補助手段を当該メモリに沿って配置し、ダイヤルの矢印３１によりターゲット３２内の光学的補助手段を見込む面積の減少度合い等を検出することで、医療機器の動作を監視することができる。
【００５０】
また、図１３に示すようなスライドスイッチ１０２ｃの場合には、光学的補助手段が設けられたキートップ３３が、どのターゲット内に存在するかを検出することで、医療機器の動作を監視することができる。
【００５１】
以上述べた構成によれば、スイッチ等の操作部位が自発光型ではない医療機器であっても適切な監視を実行することができ、第１の実施形態と同様の効果を得ることができる。
【００５２】
（第３の実施形態）
第３の実施形態では、自発光型の操作部位等と、自発光型ではない操作部位等とが混在する医療機器を対象とする医療機器監視システムについて説明する。
【００５３】
図１４は、第３の実施形態に係る医療機器監視システム１０の構成を示した図である。同図に示すように、本医療機器監視システム１０は、電気メス本体１２は、電気メスハンドピース１３、取り付けアーム１６、可視光用ＣＣＤカメラ１７、赤外線撮影装置１８、画像変化検出装置２０、記録装置２１、ハーフミラー２５を具備している。
【００５４】
ハーフミラー２５の一方の面は、赤外線反射コーティングされている。このコーティング面においては、赤外線は透過されず反射される。従って、赤外線源１８１から発せられた赤外線は、当該ハーフミラー２５の一方の面によって反射され、電気メス本体１２の操作部１０２等に当てられる。また、当該操作部１０２等にて反射された赤外線は、ハーフミラー２５の一方の面によって反射され、赤外線ＣＣＤカメラ１８０に入射する。
【００５５】
一方、コーティング面においては、可視光線は原則反射されない。従って、当該コーティング面を透過した可視光線は、可視光用ＣＣＤカメラ１７に入射する。
【００５６】
この様な構成によれば、操作部１０２等の自発光型操作部位については、その輝度情報を可視光用ＣＣＤカメラ１７によって撮影することができる。また、操作部１０２等の非自発光型操作部位については、当該非自発光型操作部位に設けられた光学的補助手段からの赤外線反射光を赤外線撮影装置１８によって撮影することができる。
【００５７】
従って、自発光型及び非自発光型の操作部位が混在する医療機器であっても適切な監視を実行することができ、第１及び第２の実施形態と同様の効果を得ることができる。
【００５８】
なお、可視光用ＣＣＤカメラ１７又は赤外線撮影装置１８によって撮影される画像に歪みがあっても、その歪みが電気メス１１の動作状態を監視するのに影響がない範囲であれば問題はない。従って、例えば、図１５に示すように凸面鏡（又は魚眼レンズ）２６をさらに設け、広角画像を取得するようにしてもよい。
【００５９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。
【００６０】
例えば、上記各実施形態では、原則として、当該ターゲット内の輝度変化等のみを記録する構成とした。これに対し、メモリ容量に問題が無ければ、医療行為中の全時間に関する画像等を記録する構成であってもよい。
【００６１】
また、実施形態に示される全構成要素から幾つかの構成要素を削除してもよい。さらに、異なる実施形態にわたる構成要素を適宜組み合わせてもよい。
【図面の簡単な説明】
【００６２】
【図１】図１は、本実施形態に係る医療機器監視システム１０の概略図を示している。
【図２】図２は、電気メス１１のインタフェースに設けられる各種スイッチ等の例を示した図である。
【図３】図３は、自発光手段を有するＯＮ／ＯＦＦ型スイッチ（シーソースイッチ）の輝度変化検出を説明するための図である。
【図４】図４は、自発光手段を有するフィルムスイッチの輝度変化検出を説明するための図である。
【図５】図５は、ダイヤルスイッチの輝度変化検出を説明するための図である。
【図６】図６は、ダイヤルスイッチの輝度変化検出を説明するための図である。
【図７】図７は、スライドスイッチの輝度変化検出を説明するための図である。
【図８】図８は、スライドスイッチの輝度変化検出を説明するための図である。
【図９】図９は、第２の実施形態に係る医療機器監視システム１０の構成を示した図である。
【図１０】図１０は、自発光手段を有しない各スイッチに設けられる光学的補助手段の一例である再帰性反射部材を示した図である。
【図１１】図１１（ａ）は、再帰性反射部材３０が添付された、自発光しないタイプのＯＮ／ＯＦＦ型スイッチ１０２ａを示した図である。図１１（ｂ）、（ｃ）は、再帰性反射部材３０が添付されたＯＮ／ＯＦＦ型スイッチ１０２ａの状態変化の検出方法を説明するための図である。
【図１２】図１２は、ダイヤルスイッチ１０２ｂの状態変化の検出方法を説明するための図である。
【図１３】図１３は、スライドスイッチ１０２ｃの状態変化の検出方法を説明するための図である。
【図１４】図１４は、第３の実施形態に係る医療機器監視システム１０の構成を示した図である。
【図１５】図１５は、各実施形態に係る医療機器監視システム１０の変形例を示した図である。
【符号の説明】
【００６３】
１０…医療機器監視システム、１１…電気メス、１２…電気メス本体、１３…電気メスハンドピース、１５…ペダルスイッチ、１６…取り付けアーム、１７…可視光用ＣＣＤカメラ、１８…赤外線撮影装置、１９…輝度変化検出装置、２０…画像変化検出装置、２１…記録装置、２５…ハーフミラー、２６…凸面鏡、１０１…表示部、１０１ａ…ＬＥＤ表示器、１０１ｂ…モニタ、１０２ａ…シーソースイッチ、１０２ｂ…ダイヤル、１０２ｃ…スライドスイッチ、１０２ｄ…フィルムスイッチ
【図１】
2005208715.tif 000003
【図２】
2005208715.tif 000004
【図３】
2005208715.tif 000005
【図４】
2005208715.tif 000006
【図５】
2005208715.tif 000007
【図６】
2005208715.tif 000008
【図７】
2005208715.tif 000009
【図８】
2005208715.tif 000010
【図９】
2005208715.tif 000011
【図１０】
2005208715.tif 000012
【図１１】
2005208715.tif 000013
【図１２】
2005208715.tif 000014
【図１３】
2005208715.tif 000015
【図１４】
2005208715.tif 000016
【図１５】
2005208715.tif 000017